(57)【要約】【課題】任意の模様を嵌め込んで、背景部分と模様部分の風合いが異なり、デザイン性に優れた象眼状シート状物の製造方法を提供するものである。【解決手段】  裏打ちされた桐材の経木７を第１のシート基材６Ａとし、打抜き刃２を模様形状に突設した模様型１と平板型３とで構成された模様打抜き装置４で、前記第１のシート基材６Ａを打抜き成形して、アヤメ模様の第１の打抜き片１０Ａを除去した後、裏打ちされた木目の方向が異なる桐材の経木７を第２のシート基材６Ｂとし、この第２のシート基材６Ｂを、前記模様打抜き装置４で打抜き成形して、アヤメ模様の第２の打抜き片１０Ｂを除去した第２の打抜きシート６Ｂを形成し、次いで、この第２の打抜き片１０Ｂを、前記第１の打抜きシート６Ａの第１の模様打抜き孔１１Ａに嵌合させてシート状に形成してから、この裏面にベース紙１３を貼付することを特徴とするものである。【選択図】  図７
2005053113.tif 000002
【特許請求の範囲】
【請求項１】
裏打ちされた木材をスライスした経木、または織布もしくは和紙を第１のシート基材とし、打抜き刃を模様形状に突設した模様型と平板型とで構成された模様打抜き装置で、前記第１のシート基材を打抜き成形して、第１の打抜き片を除去した第１の打抜きシートを形成した後、裏打ちされた木材をスライスした経木、または織布もしくは和紙を第２のシート基材とし、この第２のシート基材を、木目の方向や、繊維、色彩などの風合いが前記第１のシート基材と異なる組み合わせで前記模様打抜き装置で打抜き成形して、第２の打抜き片を除去した第２の打抜きシートを形成し、次いで、この第２の打抜き片を第１の打抜きシートの第１の模様打抜き孔に嵌合させてシート状に形成してから、この裏面にベースを貼付することを特徴とする象眼状シート状物の製造方法。
【請求項２】
木材をスライスした経木が桐またはコルクであることを特徴とする請求項１記載の象眼状シート状物の製造方法。
【請求項３】
織布が、麻、木綿、絹、羊毛などの天然繊維で形成されていることを特徴とする請求項１記載の象眼状シート状物の製造方法。
【請求項４】
第１のシート基材と第２のシート基材が厚さの異なるシート基材を用いて、模様部分に凹凸を形成したことを特徴とする請求項１記載の象眼状シート状物の製造方法。
【発明の詳細な説明】
【技術分野】
【０００１】
本発明は、模様を嵌め込んだ象眼状シート状物の製造方法に関するものである。
【背景技術】
【０００２】
一般に壁紙として木目や織物地をプリントしたものが多く使用されているが、このようにプリントしたものは安価ではあるが、模様が平面的で天然木のような自然の風合や立体感がなく、また湿度や温度を調整する呼吸作用が全くなく、室内の建材として使用した場合にカビやダニが発生する原因ともなっていた。
【０００３】
このため笹や竹のパルプを用い、これと珪藻土を混合して漉いた笹・竹紙が提案されている（特許文献１）。しかしながら、これは天然の笹・竹のパルプ繊維を混合するので、調湿作用があり健康的ではあるが、デザイン的には劣るものであった。
【０００４】
このため木材をスライスした経木を用い、市松模様や網代模様などの寄せ木模様を形成する技術も提案されている（特許文献２）。この壁紙は、天然木を帯状にスライスした経木を縦長にして、熱融着性接着剤を表面に塗布した横長のベースシートの長手方向に沿って配置した第１のシート状基材を、長手方向に沿って切断して第１の帯状基材を作成し、これとは別に経木を横長にして、ベースシートに面状に配置し、これを長手方向に沿って切断して第２の帯状基材を作成し、第１と第２の帯状基材を縦長にして、ベースシートの長手方向に沿って交互に複数枚面状に配置してこれを長手方向に沿って切断して第３の帯状基材を作成し、これを縦長にして、横長のベースシートに、隣接する木材スライスシート片の木目が直交するように複数枚密接して面状に配置するようにしたものである。
【０００５】
この壁紙は、表面に木材をスライスした経木が配置されているので、吸湿性に優れて、しかも立体感が得られて豪華に見えるが、デザインが市松模様や網代模様などの寄せ木模様に限られるため花の模様などを作成できない問題があった。
【特許文献１】特開平５ー３２１１９０
【特許文献２】特開平７ー９６７４０７
【発明の開示】
【発明が解決しようとする課題】
【０００６】
本発明は上記問題を改善し、任意の模様を嵌め込んで、背景部分と模様部分の風合いが異なり、デザイン性に優れた象眼状シート状物の製造方法を提供するものである。
【課題を解決するための手段】
【０００７】
本発明の請求項１記載の象眼状シート状物の製造方法は、裏打ちされた木材をスライスした経木、または織布もしくは和紙を第１のシート基材とし、打抜き刃を模様形状に突設した模様型と平板型とで構成された模様打抜き装置で、前記第１のシート基材を打抜き成形して、第１の打抜き片を除去した第１の打抜きシートを形成した後、裏打ちされた木材をスライスした経木、または織布もしくは和紙を第２のシート基材とし、この第２のシート基材を、木目の方向や、繊維、色彩などの風合いが前記第１のシート基材と異なる組み合わせで前記模様打抜き装置で打抜き成形して、第２の打抜き片を除去した第２の打抜きシートを形成し、次いで、この第２の打抜き片を第１の打抜きシートの第１の模様打抜き孔に嵌合させてシート状に形成してから、この裏面にベースを貼付することを特徴とするものである。
【０００８】
本発明の請求項２記載の象眼状シート状物の製造方法は、木材をスライスした経木が桐またはコルクであることを特徴とするものである。また本発明の請求項３記載の象眼状シート状物の製造方法は、織布が、麻、木綿、絹、羊毛などの天然繊維で形成されていることを特徴とするものである。
【０００９】
更に本発明の請求項４記載の象眼状シート状物の製造方法は、第１のシート基材と第２のシート基材が厚さの異なるシート基材を用いて、模様部分に凹凸を形成したことを特徴とするものである。
【発明の効果】
【００１０】
本発明に係る請求項１記載の象眼状シート状物の製造方法によれば、風合いの異なる第１のシート基材と第２のシート基材を、それぞれ同じ模様打抜き装置で、打抜き成形して、打抜き片を除去した第１のシート基材の打抜かれた模様部分に、第２のシート基材の打抜き片を嵌合させてシート状にすることにより、背景部分と模様部分の風合いが異なり、デザイン性に優れたシート状物を製造することができる。
【００１１】
また請求項２記載の象眼状シート状物の製造方法によれば、シート基材が木材をスライスした経木が桐またはコルクで形成されているので、スライスが容易で、可撓性と吸湿性に優れた象眼状シート状物を得ることができる。
【００１２】
また請求項３記載の象眼状シート状物の製造方法によれば、織布が、麻、木綿、絹、羊毛などの天然繊維で形成されているので、可撓性と吸湿性に優れ、風合いが異なりデザイン性に優れたシート状物を製造することができる。
【００１３】
また請求項４記載の象眼状シート状物の製造方法によれば、第１のシート基材と第２のシート基材が厚さの異なるシート基材を用いて、模様部分に凹凸を形成したので、模様部分の側面に陰ができて立体感に優れたシート状物を製造することができる。
【発明を実施するための最良の形態】
【００１４】
本発明は、第１のシート基材と第２のシート基材とを、同じ模様打抜き装置で、打抜き成形して、打抜き片を除去した後の打抜きシートの打抜かれた模様部分に、第２のシート基材の打抜き片を嵌合させてシート状にすることにより、デザイン性に優れた象眼状シート状物を製造することを可能にした。
【実施例１】
【００１５】
以下本発明の実施例を図１ないし図９を参照して詳細に説明する。図において１は模様型でこれは表面にアヤメ模様の打抜き刃２が突設されている。この模様型１と図２（Ａ）に示す平板型３とで模様打抜き装置４が構成されている。６Ａは第１のシート基材で、これは桐材をスライスした経木７に裏打ち紙８を貼付したものである。
【００１６】
この第１のシート基材６Ａを、図２（Ａ）に示すように桐材の経木７を上にして、平板型３の上に載せ、プレスで模様型１を下降させると、アヤメ模様の打抜き刃２で、第１のシート基材６Ａが図２（Ｂ）に示すように打抜かれる。この状態は図３に示すように、アヤメ模様の第１の打抜き片１０Ａが抜けて、第１のシート基材６Ａに、第１の模様打抜き孔１１Ａが形成される。
【００１７】
次に桐材をスライスした経木７に裏打ち紙８を貼付し、経木７の木目の方向が第１のシート基材６Ａと直交する第２のシート基材６Ｂを、図４（Ａ）に示すように桐材の経木７を上にして、平板型３の上に載せ、プレスで模様型１を下降させると、アヤメ模様の打抜き刃２で、第２のシート基材６Ｂが図４（Ｂ）に示すように打抜かれる。この状態は図５に示すように、アヤメ模様の第２の打抜き片１０Ｂが抜けて、第２のシート基材６Ｂに、第２の模様打抜き孔１１Ｂが形成される。
【００１８】
次に、図６（Ａ）に示すようにテーブル１２の上に、アヤメ模様に打抜かれた第１の模様打抜き孔１１Ａを形成した第１のシート基材６Ａを、桐材の経木７を下にして載せた後、図６（Ｂ）に示すようにアヤメ模様の第２の打抜き片１０Ｂを桐材の経木７を下にして第１の模様打抜き孔１１Ａに嵌合する。この後、、図６（Ｂ）に示すようにベース紙１３を貼付して接着剤で裏打ちして、図７に示すアヤメ模様の象眼状シート状物１４Ａを形成する。
【００１９】
この象眼状シート状物１４Ａは、背景となる第１のシート基材６Ａの木目が縦方向で、嵌合させたアヤメ模様の第１の打抜き片１０Ａの木目の方向が横方向となるので、壁紙として使用した場合に、光の反射率が異なり、同じ桐材でアヤメ模様の部分が、象眼状の異なった風合いとなり、豪華なデザイン感を得ることができる。
【００２０】
またアヤメ模様に打抜かれた第２のシート基材６Ｂについても、図８（Ａ）に示すようにテーブル１２の上に、桐材の経木７を下にして載せた後、図８（Ｂ）に示すようにアヤメ模様の第１の打抜き片１０Ａを桐材の経木７を下にして第２の模様打抜き孔１１Ｂに嵌合する。この後、図８（Ｃ）に示すようにベース紙１３を貼付して接着剤で裏打ちして、図９に示すアヤメ模様の象眼状シート状物１４Ｂを形成する。
【００２１】
この象眼状シート状物１４Ｂは、背景となる第２のシート基材６Ｂの木目が横方向で、嵌合させたアヤメ模様の第１の打抜き片１０Ａの木目の方向が縦方向となる。このようにして、第１のシート基材６Ａと、第２のシート基材６Ｂを同じ模様打抜き装置４で打抜いて、この第１の打抜き片１０Ａと第２の打抜き片１０Ｂを交換して嵌合することにより２枚の象眼状シート状物１４Ａ、１４Ｂを形成することができる。
【実施例２】
【００２２】
図１０は本発明の他の実施例を示すもので、木綿の織布１５を第１のシート基材６Ａとし、これを模様打抜き装置４で打抜き、打抜かれた第１の模様打抜き孔１１Ａに、麻の織布１６を第２のシート基材６Ｂとして模様打抜き装置４で打抜かれた第２の打抜き片１０Ｂを嵌合して、裏面をベース紙１３で裏打ちした象眼状シート状物１４Ｃである。この場合、可撓性があるので裏打ち紙８は不要である。この象眼状シート状物１４Ｃは、模様部分が背景部分と異なる風合いの木綿の織布１５と麻の織布１６で形成されているので、デザイン的に優れている。
【００２３】
なお、木綿と麻の組み合わせに限らず、絹、羊毛などの天然繊維や、和紙を組み合わせても良く、また繊維の太さや色、織り方を変えた織布を組み合わせることにより種々のデザインの壁紙を得ることができる。
【００２４】
図１１は本発明の異なる他の実施例を示すもので、裏打ち紙８を貼付したコルクの経木１７を第１のシート基材６Ａとし、これを模様打抜き装置４で打抜き、打抜かれた第１の模様打抜き孔１１Ａに、裏打ち紙８を貼付した厚いコルクの経木１７を第２のシート基材６Ｂとして、模様打抜き装置４で打抜かれた第２の打抜き片１０Ｂを嵌合して、裏面をベース紙１３で裏打ちした象眼状シート状物１４Ｄである。これは、模様部分が突出して凹凸が形成されているので片側に陰ができ、模様が立体的に浮き出した状態となる。
【産業上の利用可能性】
【００２５】
なお上記実施例では模様としてアヤメの花を使用した場合について示したが他の花や、木、風景など切抜きできるデザインであれば他のものでも良い。また上記説明では壁紙に適用した場合について示したが、家具の表面に貼付する化粧紙や、ランプシェードとしても広く利用することができる。
【図面の簡単な説明】
【００２６】
【図１】本発明に用いる模様型を示す平面図である。
【図２】（Ａ）は、第１のシート基材を模様打抜き装置で打抜いている状態を示す断面図、（Ｂ）は、第１のシート基材からアヤメ模様の第１の打抜き片を打抜いた状態を示す断面図である。
【図３】模様が打抜かれた第１のシート基材と、これから打抜いたアヤメ模様の第１の打抜き片を示す平面図である。
【図４】（Ａ）は、第２のシート基材を模様打抜き装置で打抜いている状態を示す断面図、（Ｂ）は、第２のシート基材から第２の打抜き片を打抜いた状態を示す断面図である。
【図５】模様が打抜かれた第２のシート基材と、これから打抜いたアヤメ模様の第２の打抜き片を示す平面図である。
【図６】（Ａ）は、打抜かれた第１のシート基材の第１の模様打抜き孔に、第２の打抜き片を組み合わせる前の状態を示す断面図、（Ｂ）は、第１のシート基材に、第２の打抜き片を嵌合させた状態を示す断面図、（Ｃ）は、ベース紙を貼付して完成させた象眼状シート状物の断面図である。
【図７】象眼状シート状物の平面図である。
【図８】（Ａ）は、打抜かれた第２のシート基材の第２の模様打抜き孔に、第１の打抜き片を組み合わせる前の状態を示す断面図、（Ｂ）は、第２のシート基材に、第１の打抜き片を嵌合させた状態を示す断面図、（Ｃ）は、ベース紙を貼付して完成させた象眼状シート状物の断面図である。
【図９】象眼状シート状物の平面図である。
【図１０】本発明の他の実施例による木綿と麻の織布を組み合わせた象眼状シート状物の断面図である。
【図１１】本発明の異なる他の実施例による厚さの異なるコルクで形成した象眼状シート状物の断面図である。
【符号の説明】
【００２７】
１    模様型                                                
２    アヤメ模様の打抜き刃                                  
３    平板型                                                
４    模様打抜き装置                                        
６Ａ  第１のシート基材                                      
６Ｂ  第２のシート基材                                      
７    桐材の経木                                            
８    裏打ち紙                                              
１０Ａ第１の打抜き片                                        
１０Ｂ第２の打抜き片                                        
１１Ａ第１の模様打抜き孔                          
１１Ｂ第２の模様打抜き孔                         
１２  テーブル                                              
１３  ベース紙                                              
１４  象眼状シート状物                                      
１５  木綿の織布                                            
１６  麻の織布                                              
１７  コルク                                                
【図１】
2005053113.tif 000003
【図２】
2005053113.tif 000004
【図３】
2005053113.tif 000005
【図４】
2005053113.tif 000006
【図５】
2005053113.tif 000007
【図６】
2005053113.tif 000008
【図７】
2005053113.tif 000009
【図８】
2005053113.tif 000010
【図９】
2005053113.tif 000011
【図１０】
2005053113.tif 000012
【図１１】
2005053113.tif 000013